(57)【要約】【課題】蝶番の真上に配置される収納容器の深さを深くすることのできるキャビネットを提供する。【解決手段】キャビネット２の前面上部に、蝶番７を介し、起立状態から上端側が前方へ開口可能な幕板５が設けられ、この幕板５の裏側に収納容器６が取り付けられてなるキャビネット２であって、蝶番７は、収納容器６の下の横桟１０に埋め込み状に設けられている。【選択図】図５
2013039164.tif 000002
【特許請求の範囲】
【請求項１】
キャビネットの前面上部に、蝶番を介し、起立状態から上端側が前方へ開口可能な幕板が設けられ、
該幕板の裏側に収納容器が取り付けられてなるキャビネットであって、
前記蝶番は、前記収納容器の下に埋め込み状に設けられている
ことを特徴とするキャビネット。
【請求項２】
前記蝶番の真上に配置される収納容器の深さは、前記幕板の左右方向中央付近に配置される収納容器の深さと同等またはそれ以上に設定されている請求項１に記載のキャビネット。
【請求項３】
深さの深い収納容器内に、深さの浅い或いは中間深さの別の収納容器を入れて、収納容器の深さを変更できるように構成した請求項１または請求項２に記載のキャビネット。
【請求項４】
複数の収納容器を深さを同一にして横長一体状に形成し、一部の収納容器は棚板などを設けて底上げすることで深さを浅くしたことを特徴とする請求項１に記載のキャビネット。
【発明の詳細な説明】
【技術分野】
【０００１】
本発明は、開閉可能な幕板が前面上部に設けられているキャビネットに関するものである。
【背景技術】
【０００２】
従来、特許文献１に開示されているような洗面化粧台が存在する。
この洗面化粧台は、キャビネットの前面上部に幕板を備え、この幕板の裏側にトレーが設けられており、幕板は、蝶番によって起立状態から上端側が前方へ開口するように開閉可能となっている。
【先行技術文献】
【特許文献】
【０００３】
【特許文献１】特開２０１０−１１５４７０号公報
【発明の概要】
【発明が解決しようとする課題】
【０００４】
上記特許文献１に開示されている洗面化粧台では、蝶番の真上に位置するトレーは、蝶番が邪魔になるため浅いトレーとする必要があり、幕板の横幅方向に複数のトレーを設ける際に、浅いトレーと深いトレーを列設させる必要があった。
【課題を解決するための手段】
【０００５】
本発明は、蝶番の真上位置においても深さの深い収納容器を設けることのできる開閉可能な幕板を備えたキャビネットの提供を目的とし、この目的の少なくとも一部を達成するために以下の手段を採った。
本発明は、キャビネットの前面上部に、蝶番を介し、起立状態から上端側が前方へ開口可能な幕板が設けられ、該幕板の裏側に収納容器が取り付けられてなるキャビネットであって、
前記蝶番は、前記収納容器の下に埋め込み状に設けられていることを要旨とする。
【発明の効果】
【０００６】
本発明のキャビネットでは、蝶番は収納容器の下に埋め込み状に設けられているため、蝶番が邪魔にならず、蝶番の真上の収納容器の深さを深いものとすることができる。
【０００７】
また、本発明のキャビネットにおいて、前記蝶番の真上に配置される収納容器の深さは、前記幕板の左右方向中央付近に配置される収納容器の深さと同等またはそれ以上に設定されているものとすることもできる。
こうすれば、収納容器を長尺の一体成形物とすることができ、この長尺の一体成形物の収納容器では、収納容器の差込片を複数箇所または長尺にすることができ、幕板の係止部材に対する嵌合寸法を長くすることができるから、収納容器の幕板に対する取り付け強度を向上させることができるものとなる。
【０００８】
また、本発明のキャビネットにおいて、深さの深い収納容器内に、深さの浅い或いは中間深さの別の収納容器を入れて、収納容器の深さを変更できるように構成することもできる。
こうすれば、収納物の変化に良好に対応でき、使用者のニーズに合わせた収納が可能となる。
【０００９】
また、本発明のキャビネットにおいて、複数の収納容器を深さを同一にして横長一体状に形成し、一部の収納容器は棚板などを設けて底上げすることで深さを浅くしたものとすることもできる。
こうすれば、複数の収納容器全体を深いものに設定して、強度を確保して幕板に取り付けることができ、一部の収納容器に棚板などを設けて底上げし、良好に深さの浅い収納部を形成できるものとなり、収納物の大きさに対応させた収納が可能となる。
【図面の簡単な説明】
【００１０】
【図１】開閉可能な幕板を有するキャビネットを備えた洗面化粧台の斜視構成図である。
【図２】開閉可能な幕板を有する引出しタイプのキャビネットを備えた洗面化粧台の斜視構成図である。
【図３】カウンターを取り除いたキャビネットの平面構成図である。
【図４】キャビネットにおける幕板の背面図である。
【図５】キャビネットの幕板周辺の縦断面拡大構成図である。
【図６】図５の状態から幕板を前方側へ開口させた状態の縦断面構成図である。
【図７】深い収納容器内に別の中型の収納容器を入れ込んだ状態の縦断面拡大構成図である。
【図８】深型の収納容器を入れ込んだ状態の縦断面拡大構成図である。
【発明を実施するための形態】
【００１１】
次に、本発明を実施するための形態を実施例を用いて説明する。
図１は、幕板を有するキャビネットを備えた洗面化粧台の斜視構成図である。
洗面化粧台１は、キャビネット２の上面に、洗面ボウル３ａを有するカウンター３が載置されて構成されており、キャビネット２の前面には、扉４，４が設けられ、この扉４，４の上方に開閉可能な幕板５が設けられ、この幕板５の裏側に複数の収納容器６，６，６が取り付けられている。
【００１２】
図２の斜視図で示す洗面化粧台１は、扉４に代えて、キャビネット２に引出し２１，２２を設けたものであり、下方に深さの深い引出し２２が設けられ、上方に浅い引出し２１が設けられて、この引出し２１の上方に、裏側（キャビネット２の収納空間Ｓ側）に収納容器６を取り付けた開閉可能な幕板５が設けられている。
なお、図３は、カウンター３を取り除いた状態のキャビネット２の平面構成図であり、また、図４は、幕板５の部分を裏側から見た背面図である。
【００１３】
キャビネット２内には左右の側板２ａ，２ｂ間に収納空間Ｓが形成されており、この収納空間Ｓの上部の幕板５の裏側に複数の収納容器６，６，６が取り付けられている。
本例では、複数の収納容器６，６，６は横長状に一体形成されたものであり、左右方向に間隔をおいた仕切板６ａ，６ａ，６ａにより各収納容器６，６，６が仕切られており、各収納容器６は上面が開口された有底箱状に形成されている。
このように複数の収納容器６，６，６を同一深さにして横長一体状に形成したものでは、製造コストを低減させて複数の収納容器６，６，６を形成することができるものである。
【００１４】
なお、図４に示すように、左右端側の収納容器６，６内には、高さの異なる位置に複数の棚板６ｂ，６ｂを水平状に一体形成させておき、この棚板６ｂにより左右側の収納容器６，６の底上げが成されており、複数の棚板６ｂのうち上側の棚板６ｂを取り去れば、下側の棚板６ｂにより中間深さの収納容器６となり、また、上側の棚板６ｂをそのまま残して使用すれば、深さの浅い収納容器６として、ヘアピンや髪止め，ゴムなどの小物を良好に収納することができる。
【００１５】
なお、図５は、幕板周辺のキャビネット２の縦断面拡大構成図であり、図６は、幕板５を開けた状態の縦断面拡大構成図である。
幕板５は、蝶番７を介してその上端側を前方へ開くことができるように構成されており、蝶番７を構成する固定側部材７ａは、キャビネット２の左右の側板２ａ，２ｂ間に横設された横桟１０の前端側に埋め込み状に固定されており、また、蝶番７を構成する可動側部材７ｂは、幕板５の下端側に埋め込み状に固定されている。
この蝶番７は、ドロップ蝶番と呼ばれるものであり、羽根状の固定側部材７ａと可動側部材７ｂを連結する軸が、固定側部材７ａと可動側部材７ｂを水平にした時に、上に突出しないようなタイプのものであり、埋め込み状態では、固定側部材７ａの上端は横桟１０の上面とほぼ面一状をなし、この横桟１０の上面すれすれに収納容器６の底面が配置されるものであり、収納容器６は深さの深いものとすることができる。
【００１６】
なお、幕板５の裏面（キャビネット２の収納空間Ｓ側）には、横長板状の係止部材８がビス等で固定されており、収納容器６の前面側に略Ｌ字状に一体形成した差込片９を、係止部材８の上縁側より、係止部材８と幕板５の裏面間に差し込んで嵌合させ、収納容器６を幕板５の裏面に取り付け固定できるものであり、深さの深い収納容器６が複数一体形成されたタイプのものでは、収納容器６の差込片９を複数箇所または長尺にすることができ、幕板５の係止部材８に対する嵌合寸法を長くすることができるから、幕板５に対する収納容器６の取り付け強度を確保することができるものとなり、使用中に収納容器６が外れにくいものとなる。
なお、幕板５の上端には取っ手５ａが起立状に設けられており、この取っ手５ａに指を掛けて前方側へ引き出すことで、幕板５を蝶番７を介し良好に開閉させることができるものである。この取っ手５ａは、ハンドル，つまみ形状のものであっても良い。
【００１７】
幕板５が閉じた状態は図５に示し、開いた状態は図６に示すが、この時に、幕板５の一端側とキャビネットの側板２ａ内側を連結するステー１４により幕板５の開き角度が良好に規制されるものであり、例えば幕板５は最大４５°程度の角度に上端側が開かれるものである。
なお、ステー１４はダンパー付きの開閉装置であり、幕板５の開閉がゆっくりとなるように２枚の回転板間にグリースを使用したものとか、油や空気を狭い通路を通過させるピストン式等の公知のものが用いられている。
なお、図中１２は、カウンター３の下面側に横設された横桟であり、図中１３は、カウンター３とキャビネット２を固定する固定金具である。また、図中１８は、カウンター３とキャビネット２を固定するための補強木であり、図中１９は、カウンター３とキャビネット２を固定するための固定ビスである。
【００１８】
なお、図５および図６においては、一部の収納容器６内に、上面側が開口した深さの浅い別体の浅型収納容器１１を入れ込んだ場合を示しており、この別体の浅型収納容器１１を深さの深い収納容器６内に上方側から差し込んで入れることで、深さの深い収納容器６の深さを浅くして使用することができるものとなり、この浅型収納容器１１内にはヘアピンなどの雑多な小物を良好に収納させることができ、また、この浅型収納容器１１は取り外して、底側の脚部１１ａをカウンター３の上に置いて使用することも可能である。
【００１９】
なお、図７に縦断面拡大図で示すものは、一部の収納容器６内に中間程度の深さを有する別体の中型収納容器１５を入れ込んだ場合である。
この中型収納容器１５は、上面側が開口した箱体状に形成されており、底側には脚部１５ａが設けられている。
この図７のように、別体の中型収納容器１５を一部の収納容器６内に入れ込んで使用すれば、中間深さの小物を良好にこの中型収納容器１５内に入れることができる。
このように、浅型収納容器１１或いは中型収納容器１５を深さの深い収納容器６内に入れることで、深さを良好に変更させて収納物に対応させることができ、使用者のニーズに合わせた収納が可能なものとなる。
【００２０】
なお、図８の断面拡大図で示すものは、収納容器６内に深さの深い深型収納容器１６を入れ込んだ場合である。
なお、このような深型収納容器１６は、幕板５の裏側に直接取り付けることができるものであり、このような別体の深型収納容器１６を幕板５の裏側に複数横方向に列設状に取り付けて使用することもでき、この場合において、蝶番７が邪魔しないために、左右側に一対配置されている蝶番７，７のそれぞれの真上に深型収納容器１６を設置することができる。
このように、蝶番７は埋め込み状に設けられているため、蝶番７上に配置される収納容器１６は深さを深くすることができ、幕板５の左右方向中央付近に配置される収納容器の深さと同等またはそれ以上の深さにすることができるものであり、深型収納容器１６の底面は蝶番の固定側部材７ａの真上の近接した位置に配置されるために、蝶番７には水がかかりにくいものとなり、蝶番７の機能不良の発生を良好に抑えることができるものとなる。
【００２１】
本発明では、幕板５の裏側に取り付けられる収納容器６において、特に蝶番７の真上位置に配置される収納容器の深さを深くすることができ、深さの深い収納容器６では係止部材８に対する差込片９の嵌合寸法が長くなり、強固に幕板５の裏側に取り付けることができ、しかも、蝶番７に水がかかりにくいものとなる。
【００２２】
また、複数の収納容器を横長一体状に深さを同一にして形成しておく場合には、一部の収納容器６内に浅型収納容器１１或いは中型収納容器１５を上方側から入れ込んで、収納容器の深さを使用者のニーズに合わせて変化させることができ、更には、一部の収納容器６内に高さの異なる位置に棚板６ｂを設けておき、この棚板６ｂにより深さを変更させることができ、深さの深い収納容器１６と深さの浅い収納容器１１，１５で収納物を良好に使い分けることができるものとなる。
なお、幕板５が閉じた状態から不意に幕板５が開かないように、幕板５の裏面にローラーキャッチャーやマグネットキャッチャーを設け、キャビネット２の側板２ａ，２ｂに設けたローラーやマグネットに嵌合や引き寄せるようにしても良い。
【符号の説明】
【００２３】
１  洗面化粧台
２  キャビネット
２ａ，２ｂ  側板
３  カウンター
３ａ  洗面ボウル
４  扉
５  幕板
５ａ  取っ手
６  収納容器
６ａ  仕切板
６ｂ  棚板
７  蝶番
７ａ  固定側部材
７ｂ  可動側部材
８  係止部材
９  差込片
１０  横桟
１１  浅型収納容器
１４  ステー
１５  中型収納容器
１６  深型収納容器
【図１】
2013039164.tif 000003
【図２】
2013039164.tif 000004
【図３】
2013039164.tif 000005
【図４】
2013039164.tif 000006
【図５】
2013039164.tif 000007
【図６】
2013039164.tif 000008
【図７】
2013039164.tif 000009
【図８】
2013039164.tif 000010